(57)【要約】【課題】  拡縮のストロークを大きくすることができ、また使用する向きを意識することなく使用できるレベリングブロックを提供することにある。【解決手段】  対向して設けられた２枚の前後板と、２枚の前後板の間に挟着され、傾斜面が対向して設けられた２つの荷重受台と、２つの荷重受台との間に配設され、２つの荷重受台のぞれぞれの傾斜面に当接する側に傾斜面に沿う傾斜を有する摺動面を設ける滑り台と、２枚の前後板の間に回転自在に軸架され、滑り台に穿設されたネジ穴に螺合する調整ボルトとを備え、滑り台が、調整ボルトの回転により調整ボルトの軸方向に摺動するように設けられると共に、２つの摺動面が軸方向に沿って互いに離間するように設けられ、調整ボルトを回動させて滑り台を前後板間で摺動させることにより、傾斜面が摺動面の傾斜に追従して移動し、２つの荷重受台の間隔を可変させることを特徴とする。【選択図】図１
2008087139.tif 000002
【特許請求の範囲】
【請求項１】
構造物と構造物との隙間に挿嵌され、該隙間の間隔を拡縮するレベリングブロックにおいて、
対向して設けられた２枚の前後板と、
該２枚の前後板の間に挟着され、近接又は離間する方向に傾斜面が対向して設けられた２つの荷重受台と、
該２つの荷重受台との間に配設され、該２つの荷重受台のぞれぞれの傾斜面に当接する側に該傾斜面に沿う傾斜を有する摺動面を設ける滑り台と、
該２枚の前後板の間に回転自在に軸架され、該滑り台に穿設されたネジ穴に螺合する調整ボルトとを備え、
該滑り台が、該調整ボルトの回転により該調整ボルトの軸方向に摺動するように設けられると共に、２つの該摺動面が該軸方向に沿って互いに離間するように設けられ、
該調整ボルトを回動させて該滑り台を該前後板間で摺動させることにより、該傾斜面が該摺動面の傾斜に追従して移動し、該２つの荷重受台の間隔を可変させることを特徴とするレベリングブロック。
【請求項２】
前記２つの荷重受台を前記滑り台方向に付勢する付勢手段を備えることを特徴とする請求項１記載のレベリングブロック。
【請求項３】
前記２つの荷重受台及び前記滑り台の両側面を覆う側板を、前記２つの前後板に渡って設けたことを特徴とする請求項１又は請求項２記載のレベリングブロック。
【請求項４】
前記調整ボルトが、前記２つの前後板の外側にそれぞれ突出するボルト頭を備えることを特徴とする請求項１〜請求項３のいずれかに記載のレベリングブロック。
【発明の詳細な説明】
【技術分野】
【０００１】
本発明は、構造物と構造物との隙間に挿嵌され、該隙間の間隔を拡縮するレベリングブロックに関する。
【背景技術】
【０００２】
従来より、大型機械等の構造物の底面と該構造物を据え付ける基礎との間に載置し、構造物の底面と基礎との隙間の間隔を調整し構造物の高さを定めるためにレベリングブロックが用いられてきた。従来のレベリングブロックとしては、例えば、特許文献１に示されているようなものがある。
【０００３】
特許文献１のレベリングブロックは、断面略Ｌ字状で上方に開放された受け台と、受け台上に摺動自在に支持された滑り台と、滑り台の上面に設けられ滑り台が摺動することにより上下に移動する受け板と、受け台の起立部分と滑り台との間に締結された調整ボルトとを備えている。そして、調整ボルトを回転させることにより滑り台が摺動し、受け板上に載置された構造物が上下する。
【特許文献１】特開２０００−３３４６３１号公報
【発明の開示】
【発明が解決しようとする課題】
【０００４】
しかしながら、従来のレベリングブロックでは、受け台の上方に設けられた１つの受け板が上下するだけであることから、大きなストロークを取ることができない。また、受け台に滑り台を載置した状態で使用することから、上下に拡縮させたい場合のみで左右に拡縮させたい場合に使用することができない。
【０００５】
本発明は、このような事情に鑑みてなされたもので、拡縮のストロークを大きくすることができ、また、使用する向きを意識することなく使用できるレベリングブロックを提供することにある。
【課題を解決するための手段】
【０００６】
請求項１記載のレベリングブロックは、対向して設けられた２枚の前後板と、２枚の前後板の間に挟着され、近接又は離間する方向に傾斜面が対向して設けられた２つの荷重受台と、２つの荷重受台との間に配設され、２つの荷重受台のぞれぞれの傾斜面に当接する側に傾斜面に沿う傾斜を有する摺動面を設ける滑り台と、２枚の前後板の間に回転自在に軸架され、滑り台に穿設されたネジ穴に螺合する調整ボルトとを備え、滑り台が、調整ボルトの回転により調整ボルトの軸方向に摺動するように設けられると共に、２つの摺動面が軸方向に沿って互いに離間するように設けられ、調整ボルトを回動させて滑り台を前後板間で摺動させることにより、傾斜面が摺動面の傾斜に追従して移動し、２つの荷重受台の間隔を可変させることを特徴とする。
【０００７】
請求項２記載のレベリングブロックは、２つの荷重受台を滑り台方向に付勢する付勢手段を備えることを特徴とする。
【０００８】
請求項３記載のレベリングブロックは、２つの荷重受台及び滑り台の両側面を覆う側板を、２つの前後板に渡って設けたことを特徴とする。
【０００９】
請求項４記載のレベリングブロックは、調整ボルトが、２つの前後板の外側にそれぞれ突出するボルト頭を備えることを特徴とする。
【発明の効果】
【００１０】
請求項１の発明によれば、調整ボルトを回転させることで、対向して設けられた２つの荷重受台が共に動作して間隔を可変可能であることから、拡縮のストロークを大きくすることができる。また、荷重受台を対向して２つ備えることから、上面又は下面を意識することなく使用することができる。
【００１１】
請求項２の発明によれば、２つの荷重受台を滑り台方向に付勢する付勢手段を備えることから、２つの荷重受台が左右方向に対向する向きで使用しても荷重受台が脱離することはなく、向きを意識することなく使用できる。また、２つの荷重受台が近接する方向に付勢されていることから、２つの荷重受台の間隔をスムーズに縮めることができ、安定して動作させることが可能である。
【００１２】
請求項３の発明によれば、２つの荷重受台及び滑り台の両側面を覆う側板を、２つの前後板に渡って設けたことから、内部に塵埃等の異物が侵入することを防止し、安定してスムーズに動作させることが可能である。
【００１３】
請求項４の発明によれば、調整ボルトが、２つの前後板の外側にそれぞれ突出するボルト頭を備えることから、いずれかのボルト頭を回転させればよく、操作が容易である。
【発明を実施するための最良の形態】
【００１４】
以下、本発明の形態について図面を参照しながら具体的に説明する。本発明の形態におけるレベリングブロックは、構造物と構造物との隙間に挿嵌され、該隙間の間隔を拡縮して調整するものである。図１は、本発明に係るレベリングブロックの一例を示す斜視図である。図２は、同レベリングブロックの分解立体図である。図３は、同レベリングブロックの平面図である。図４は、図３のＡ−Ａ線矢視断面図である。図５は、同レベリングブロックの動作を示す図３のＡ−Ａ線矢視断面図である。
【００１５】
図において、本実施例のレベリングブロック１は、２枚の前後板４０，４２、２つの荷重受台２０，３０、滑り台１０、調整ボルト３、側板４４等から構成されている。前後板４０，４２は、略正方形の板材で、互いに対向して設けられている。
【００１６】
荷重受台２０は、直方体の上面を斜めにカットして傾斜面２２を形成させた形状で、底面に平滑な荷重面２４が形成されている。また、両方の側面２６の上部には、凹部２８が穿設されている。また、傾斜面２２の肉厚方向の中央には、後述する調整ボルト３を回避する切欠部２２ａが穿設されている。荷重受台３０は、荷重受台２０を上下対称にした構造で、荷重受台２０と共に上下対称になった状態で、２枚の前後板４０，４２の間に挟着されている。すなわち、２つの荷重受台２０，３０は、近接又は離間する方向に互いの傾斜面２２，３２が対向した状態で配設され、２つの傾斜面２２，３２が互いに離間するように設けられている。尚、２つの荷重受台２０，３０の凹部２８，３８の間には、バネ５０が架け渡されネジ５２で固定されている。
【００１７】
滑り台１０は、側面端面視で略三角形を横臥した楔状をしており、２つの荷重受台２０，３０の間に挟み込まれている。滑り台１０の上面及び下面は、荷重受台２０，３０のそれぞれの傾斜面２２，３２に沿って当接する傾斜を有する摺動面１２，１４となっている。また、２つの摺動面１２，１４の間には、略三角形の底辺から頂点方向を軸方向とするネジ穴である雌ネジ１６が穿設されている。
【００１８】
調整ボルト３は、２つの前後板４０，４２に穿設された貫通孔４０ａ，４２ａに挿嵌された雄ネジ７を有するボルトである。前後板４０の外側に突出する部分が六角のボルト頭４で、前後板４０とボルト頭４との間には、大径のワッシャ５が挟み込まれている。そして、調整ボルト３の雄ネジ７は、滑り台１０の雌ネジ１６に螺合され、前後板４０の外側に突出している。前後板４２の外側に突出する調整ボルト３の端部には、大径のワッシャ６２がはめ込まれ、六角のナット６０が螺着されている。尚、ナット６０は調整ボルト３に固着されている。
【００１９】
側板４４は、板材をコ字状に折曲したもので、前後板４０，４２の間に架け渡され、荷重受台２０，３０の側面２６，３６及び滑り台１０の側面１８をそれぞれ覆うように設けられ、鍔部分に設けられたネジ穴４４ａに挿貫されたワッシャ４８を有するネジ４６により、前後板４０，４２に固定されている。
【００２０】
以上のように構成されたレベリングブロック１の使用方法を説明する。まず、レベリングブロック１を、例えば、ワークを据え付けるワークテーブルの上に、荷重受台２０，３０の荷重面２４，３４がそれぞれ天地になるように載置する。すなわち、荷重受台２０の荷重面２４がワークテーブルに接するようになる。そして、荷重受台３０の荷重面３４側に例えば構造物であるワークを載置する。すなわち、レベリングブロック１が、構造物であるワークと構造物であるワークテーブルとの隙間に挿嵌された状態となる。
【００２１】
そして、ワークとワークテーブルとの隙間の間隔を拡縮して、ワークの高さを調整する場合は、まず調整ボルト３のボルト頭４又はナット６０を回転させる。ボルト頭４又はナット６０を回転させることにより、調整ボルト３すなわち雄ネジ７が回転する。すると、雄ネジ７の回転にあわせて、滑り台１０が、前後板４０，４２間を調整ボルト３の軸方向に摺動する。例えば、図４の状態から調整ボルト３を回転させ、滑り台１０をボルト頭４方向に摺動させると（図５矢印方向）、滑り台１０の摺動面１２，１４が、当接する荷重受台２０，３０の傾斜面２２，３２を押し拡げることになる。傾斜面２２，３２が摺動面１２，１４の傾斜に追従して押し拡げられると、荷重受台２０，３０が前後板４０，４２に沿って、それぞれ離間する方向に移動する（図５矢印方法）。このことにより、ワークとワークテーブルとの隙間の間隔が拡がって、ワークの高さが高くなる。
【００２２】
尚、ワークの高さを低くする場合（ワークとワークテーブルとの隙間の間隔を縮める場合）は、調整ボルト３を先程とは逆の方向に回転させる。そして、滑り台１０が先程とは逆の方向（図５矢印と逆方向）に摺動し、摺動面１２，１４の移動にあわせて傾斜面２２，３２が近接していく。傾斜面２２，３２が近接していくことにより、荷重受台２０，３０の荷重面２４，３４が近づくことになり、２つの荷重受台２０，３０の間隔が縮まり、ワークの高さが低くなる。
【００２３】
以上のように、本実施例のレベリングブロック１によれば、調整ボルト３を回転させることで、対向して設けられた２つの荷重受台２０，３０が共に動作して間隔を可変可能であることから、拡縮のストロークを大きくすることができる。また、荷重受台２０，３０を対向して２つ備えることから、上面又は下面を意識することなく使用することができる。特に、２つの荷重受台２０，３０を同一の形状にすることができ、部品の製造コストを抑えることが可能である。
【００２４】
また、２つの荷重受台２０，３０を滑り台方向に付勢する付勢手段であるバネ５０を備えることから、２つの荷重受台２０，３０が左右方向に対向する向きで使用しても荷重受台２０，３０が脱離することはなく、向きを意識することなく使用できる。また、２つの荷重受台２０，３０が近接する方向に付勢されていることから、２つの荷重受台２０，３０の間隔をスムーズに縮めることができ、安定して動作させることが可能である。尚、本実施例では、付勢手段としてバネ５０を用いたが、バネに限られるものではなく、伸縮性のあるワイヤーや弾性部材等であってもよい。
【００２５】
さらに、２つの荷重受台２０，３０及び滑り台１０の両側面を覆う側板を、２つの前後板４０，４２に渡って設けたことから、内部に塵埃等の異物が侵入することを防止し、安定してスムーズに動作させることが可能である。
【００２６】
さらに、調整ボルト３が、２つの前後板４０，４２の外側にそれぞれ突出するボルト頭４及びボルト頭４と同一の形状で同様の機能を有するナット６０を備えることから、いずれかのボルト頭として機能するボルト頭４又はナット６０を回転させればよく、操作が容易である。
【００２７】
さらに、本実施例のレベリングブロック１は、フレームレスの構造のため、軽量化が可能である。さらに、ボルト頭４と前後板４０との間及びナット６０と前後板４２との間に、大径のワッシャ５，６２を備えることから、スラスト力に対して強い構造を有している。
【００２８】
尚、本実施例の図面では、摺動面１２，１４及び傾斜面２２，３２の一例を示しているが、あくまでも一例であり、傾斜の角度を任意に定めることが可能である。
【産業上の利用可能性】
【００２９】
以上のように、本発明によれば、拡縮のストロークを大きくすることができ、また、使用する向きを意識することなく使用できるレベリングブロックを提供することができる。
【図面の簡単な説明】
【００３０】
【図１】本発明に係るレベリングブロックの一例を示す斜視図である。
【図２】同レベリングブロックの分解立体図である。
【図３】同レベリングブロックの平面図である。
【図４】図３のＡ−Ａ線矢視断面図である。
【図５】同レベリングブロックの動作を示す図３のＡ−Ａ線矢視断面図である。
【符号の説明】
【００３１】
１・・・・・レベリングブロック
３・・・・・調整ボルト
４・・・・・ボルト頭
５・・・・・ワッシャ
７・・・・・雄ネジ
１０・・・・滑り台
１２・・・・摺動面
１４・・・・摺動面
１６・・・・雌ネジ
１８・・・・側面
２０・・・・荷重受台
２２・・・・傾斜面
２２ａ・・・切欠部
２４・・・・荷重面
２６・・・・側面
２８・・・・凹部
３０・・・・荷重受台
３２・・・・傾斜面
３２ａ・・・切欠部
３４・・・・荷重面
３６・・・・側面
３８・・・・凹部
４０・・・・前後板
４０ａ・・・貫通孔
４０ｂ・・・ネジ穴
４２・・・・前後板
４２ａ・・・貫通孔
４２ｂ・・・ネジ穴
４４・・・・側板
４４ａ・・・ネジ穴
４６・・・・ネジ
４８・・・・ワッシャ
５０・・・・バネ
５２・・・・ネジ
６０・・・・ナット
６２・・・・ワッシャ
【図１】
2008087139.tif 000003
【図２】
2008087139.tif 000004
【図３】
2008087139.tif 000005
【図４】
2008087139.tif 000006
【図５】
2008087139.tif 000007